(57)【要約】【課題】顕微鏡焦準装置を提供する。【解決手段】圧電作動式顕微鏡焦準装置の実装形態は、第１側と第２側とを有する第１ブロックであって、第１側が、４本以上のネジを介して顕微鏡の本体に結合される、第１ブロックを含み得る。装置はまた、第１表面、第２表面及び側表面を有する第２ブロックを含み得る。側表面は、第１ブロックの第２側に結合され得る。第２ブロックの第２表面は、顕微鏡の対物レンズに結合するように構成され得る。圧電作動式顕微鏡焦準装置はまた、第２ブロックの第１表面に開口を含み得る。開口は、顕微鏡の照明装置に結合するように構成され得る。開口は、実質的に丸みを帯びた部分と、装置の第１ブロックに対して実質的に垂直に方向付けられたアダプタと、を有し得る。アダプタは、ダブテール形の突起と、取付けネジと、を含み得る。【選択図】図１
2018169614.tif 000002
【特許請求の範囲】
【請求項１】
圧電作動式顕微鏡焦準装置であって、
第１側と第２側とを有する第１ブロックであって、前記第１側が、４本以上のネジを介して顕微鏡の本体に結合するように構成される、第１ブロックと、
第１表面、第２表面及び側表面を有する第２ブロックであって、前記側表面が前記第１ブロックの前記第２側に結合され、前記第２ブロックの前記第２表面が前記顕微鏡の対物レンズに結合するように構成される、第２ブロックと、
前記第２ブロックの前記第１表面に含まれる開口であって、前記顕微鏡の照明装置に結合するように構成され、実質的に丸みを帯びた部分と、前記装置の前記第１ブロックに対して実質的に垂直に方向付けられたアダプタと、を含み、前記アダプタが、ダブテール形の突起と、取付けネジと、を含む、開口と、を備える圧電作動式顕微鏡焦準装置。
【請求項２】
前記第１ブロックの前記第１側と前記第２側との間に位置付けられたシリンダ内に圧電材料が含まれ、前記圧電材料がバネを用いて付勢力をかけられる、請求項１に記載の装置。
【請求項３】
前記圧電材料が結晶及びセラミックの一方である、請求項２に記載の装置。
【請求項４】
前記４本以上のネジが長方形の構成で配置される、請求項１に記載の装置。
【請求項５】
前記照明装置が１つ又は複数の視認用レンズをさらに含む、請求項１に記載の装置。
【請求項６】
前記顕微鏡の前記対物レンズに結合するように構成された前記第２ブロックの前記第２表面に結合されたブラケットをさらに備え、前記ブラケットが、２つ以上の正方形に成形された翼状部とピンとを含み、第１翼状部が、前記第１ブロックと反対側の前記第２表面の縁部に位置付けられ、前記第１翼状部が、前記顕微鏡の前記対物レンズを固定するように構成されたつまみネジを含み、及び、前記ピンが第２翼状部に隣接して位置付けられ、前記対物レンズが、前記２つ以上の正方形に成形された翼状部に挿入されるときに前記対物レンズを停止させかつ位置付けるように構成される、請求項１に記載の装置。
【請求項７】
圧電作動式顕微鏡焦準装置であって、
第１側と第２側とを有する第１ブロックであって、前記第１側が２本以上のネジを介して顕微鏡の本体に結合するように構成される、第１ブロックと、
第１表面、第２表面及び側表面を有する第２ブロックであって、前記側表面が前記第１ブロックの前記第２側に結合され、前記第２ブロックの前記第２表面が前記顕微鏡の対物レンズと結合するように構成される、第２ブロックと、
前記第２ブロックの前記第１表面に含まれる開口であって、前記顕微鏡の照明装置に結合するように構成され、実質的に正方形に成形された部分と、前記装置の前記第１ブロックに対して実質的に平行に方向付けられたアダプタとを含み、前記アダプタが２つのダブテール形の突起と少なくとも１つの取付けネジと含む、開口と
を含む圧電作動式顕微鏡焦準装置。
【請求項８】
圧電材料が、前記第１ブロックの前記第１側と前記第２側との間に位置付けられたシリンダ内に含まれ、前記圧電材料が、バネを介して付勢力をかけられる、請求項７に記載の装置。
【請求項９】
前記圧電材料が結晶及びセラミックの一方である、請求項８に記載の装置。
【請求項１０】
前記第１ブロックの前記第１側に含まれる４本以上のネジをさらに含み、前記４本以上のネジが長方形の構成で配置される、請求項７に記載の装置。
【請求項１１】
前記照明装置が少なくとも１つの視認用光学部品をさらに含む、請求項７に記載の装置。
【請求項１２】
前記顕微鏡の前記対物レンズに結合するように構成された前記第２ブロックの前記第２表面に結合されたブラケットをさらに含み、前記ブラケットが、２つ以上の正方形に成形された翼状部と、ピンと、を含み、第１翼状部が、前記第１ブロックと反対側の前記第２表面の縁部に位置付けられ、前記第１翼状部が、前記顕微鏡の前記対物レンズを固定するように構成されたつまみネジを含み、及び、前記ピンが第２翼状部に隣接して位置付けられ、前記対物レンズが、前記２つ以上の正方形に成形された翼状部に挿入されるときに前記対物レンズを停止させかつ位置付けるように構成される、請求項７に記載の装置。
【請求項１３】
圧電作動式顕微鏡焦準装置であって、
第１側と第２側とを有する第１ブロックであって、前記第１側が、２本以上のネジを介して顕微鏡の本体に結合するように構成される、第１ブロックと、
第１表面、第２表面及び側表面を有する第２ブロックであって、前記側表面が前記第１ブロックの前記第２側に結合される、第２ブロックと、
前記顕微鏡の光源に結合するように構成された前記第２ブロックの前記第１表面の開口と、
前記顕微鏡の対物レンズに結合するように構成された前記第２ブロックの前記第２表面に結合されたブラケットであって、２つ以上のフランジと、ピンと、を含み、第１フランジが、前記第１ブロックと反対側の前記第２表面の縁部に位置付けられ、前記第１翼状部が、前記顕微鏡の前記対物レンズを固定するように構成されたつまみネジを含み、前記ピンが前記第２翼状部に隣接して位置付けられ、前記第２翼状部が、前記対物レンズが前記２つ以上のフランジに挿入される間、前記対物レンズを停止させかつ位置付けるように構成される、ブラケットと、備える圧電作動式顕微鏡焦準装置。
【請求項１４】
前記第１ブロックの前記第１側と前記第２側との間に位置付けられたシリンダ内に圧電材料が含まれ、前記圧電材料がバネを用いて付勢力をかけられる、請求項１３に記載の装置。
【請求項１５】
前記圧電材料が結晶及びセラミックの一方である、請求項１４に記載の装置。
【請求項１６】
前記第１ブロックの前記第１側に含まれる４本以上のネジをさらに含み、前記４本以上のネジが長方形の構成で配置される、請求項１３に記載の装置。
【請求項１７】
前記光源が照明装置である、請求項１３に記載の装置。
【請求項１８】
前記開口が、実質的に丸みを帯びた部分と、前記装置の前記第１ブロックに対して実質的に垂直に方向付けられたアダプタと、を含み、前記アダプタが、２つのダブテール形の突起と、少なくとも１本の取付けネジと、を含む、請求項１３に記載の装置。
【請求項１９】
前記開口が、実質的に正方形に成形された部分と、前記装置の前記第１ブロックに対して実質的に平行に方向付けられたアダプタと、を含み、前記アダプタが、２つのダブテール形の突起と、少なくとも１本の取付けネジと、を含む、請求項１３に記載の装置。
【発明の詳細な説明】
【技術分野】
【０００１】
[0001]  本明細書の態様は、概して、標本を視認する際の鮮鋭度を増大させるモジュール式焦準などの顕微鏡用アタッチメントに関する。
【背景技術】
【０００２】
[0002]  目視用顕微鏡は、視認される試料の上に配置される対物レンズを含み、試料は、対物レンズを介した試料の最適な評価を可能にするために光源によって典型的に照射される。多くの顕微鏡において、視認用光学部品は、試料のより快適な評価及び／又は画像の追加的な拡大を可能にするために対物レンズと組み合わされる。試料の上の対物レンズの高さは、目視用顕微鏡の使用者が目視することができる画像の焦点／深度を調整するために使用される。
【発明の概要】
【０００３】
[0003]  圧電作動式顕微鏡焦準装置の実装形態は、第１側と第２側とを有する第１ブロックであって、第１側が、４本以上のネジを介して顕微鏡の本体に結合するように構成される、第１ブロックを含み得る。装置はまた、第１表面、第２表面及び側表面を有する第２ブロックを含み得る。側表面は、第１ブロックの第２側に結合され得る。第２ブロックの第２表面は、顕微鏡の対物レンズに結合するように構成され得る。装置はまた、第２ブロックの第１表面に開口を含み得る。開口は、顕微鏡の照明装置に結合するように構成され得る。開口は、実質的に丸みを帯びた部分と、装置の第１ブロックに対して実質的に垂直に方向付けられたアダプタと、を有し得る。アダプタは、ダブテール形の突起と取付けネジとを含み得る。
【０００４】
[0004]  圧電作動式顕微鏡焦準装置の実装形態は、以下の１つ、全て又はいずれかを含み得る。
【０００５】
[0005]  圧電材料が、第１ブロックの第１側と第２側との間に位置付けられたシリンダ内に含まれ得る。圧電材料は、バネを用いて付勢力をかけられ得る。
【０００６】
[0006]  圧電材料は、結晶又はセラミックの一方を含み得る。
【０００７】
[0007]  ４本以上のネジは、長方形の構成で配置され得る。
【０００８】
[0008]  照明装置は、１つ又は複数の視認用レンズをさらに含み得る。
【０００９】
[0009]  圧電作動式顕微鏡焦準装置はまた、顕微鏡の対物レンズに結合するように構成された第２ブロックの第２表面に結合されたブラケットを含み得る。ブラケットは、２つ以上の正方形に成形された翼状部とピンとを含み得る。ブラケットの第１翼状部は、第１ブロックと反対側の第２表面の縁部に位置付けられ得る。第１翼状部は、顕微鏡の対物レンズを固定するように構成されたつまみネジを含み得る。ブラケットのピンは、第２翼状部に隣接して位置付けられ得る。ピンは、対物レンズが２つ以上の正方形に成形された翼状部に挿入されるときに対物レンズを停止させかつ位置付けるように構成され得る。
【００１０】
[0010]  圧電作動式顕微鏡焦準装置の実装形態は、第１側と第２側とを有する第１ブロックを含み得る。第１側は、４本以上のネジを介して顕微鏡の本体に結合するように構成され得る。装置はまた、第１表面、第２表面及び側表面を有する第２ブロックを有し得る。側表面は、第１ブロックの第２側に結合され得る。第２ブロックの第２表面は、顕微鏡の対物レンズに結合するように構成され得る。装置はまた、第２ブロックの第１表面に開口を有し得る。開口は、顕微鏡の照明装置に結合するように構成され得る。開口は、実質的に正方形に成形された部分と、装置の第１ブロックに対して実質的に平行に方向付けられたアダプタと、を有し得る。アダプタは、２つのダブテール形の突起と少なくとも１つの取付けネジとを含み得る。
【００１１】
[0011]  圧電作動式顕微鏡焦準装置の実装形態は、以下の１つ、全て又はいずれかを含み得る。
【００１２】
[0012]  圧電材料が、第１ブロックの第１側と第２側との間に位置付けられたシリンダ内に含まれ得る。圧電材料は、バネを介して付勢力をかけられ得る。
【００１３】
[0013]  圧電材料は、結晶及びセラミックの一方であり得る。
【００１４】
[0014]  装置は、４本以上のネジをさらに含み得、４本以上のネジは長方形の構成で配置され得る。
【００１５】
[0015]  照明装置は、少なくとも１つの視認用光学部品をさらに含み得る。
【００１６】
[0016]  圧電作動式顕微鏡焦準装置はまた、顕微鏡の対物レンズと結合するように構成された第２ブロックの第２表面に結合されたブラケットを含み得る。ブラケットは、２つ以上の正方形に成形された翼状部とピンとを含み得る。ブラケットの第１翼状部は、第１ブロックと反対側の第２表面の縁部に位置付けられ得る。第１翼状部は、顕微鏡の対物レンズを固定するように構成されたつまみネジを含み得る。ブラケットのピンは、第２翼状部に隣接して位置付けられ得る。ピンは、対物レンズが２つ以上の正方形に成形された翼状部に挿入されるときに対物レンズを停止させかつ位置付けるように構成され得る。
【００１７】
[0017]  圧電作動式顕微鏡焦準装置の実装形態は、第１側と第２側とを有する第１ブロックを含み得る。第１側は、２本以上のネジを介して顕微鏡の本体に結合するように構成され得る。装置はまた、第１表面、第２表面及び側表面を有する第２ブロックを有し得る。側表面は、第１ブロックの第２側に結合され得る。装置はまた、顕微鏡の光源と結合するように構成された第２ブロックの第１表面に開口を有し得る。装置はまた、顕微鏡の対物レンズと結合するように構成された第２ブロックの第２表面に結合されたブラケットを有し得る。ブラケットは、２つ以上のフランジとピンとを含み得る。第１翼状部は、第１ブロックと反対側の第２表面の縁部に位置付けられ得る。第１フランジは、顕微鏡の対物レンズを固定するように構成されたつまみネジを含み得る。ピンは、第２翼状部に隣接して位置付けられ得、かつ対物レンズが２つ以上のフランジに挿入される間、対物レンズを停止させかつ位置付けるように構成され得る。
【００１８】
[0018]  圧電作動式顕微鏡焦準装置の実装形態は、以下の１つ、全て又はいずれかを含み得る。
【００１９】
[0019]  圧電材料が、第１ブロックの第１側と第２側との間に位置付けられたシリンダ内に含まれ得る。圧電材料は、バネを用いて付勢力をかけられ得る。
【００２０】
[0020]  圧電材料は、結晶及びセラミックの一方であり得る。
【００２１】
[0021]  装置は、４本以上のネジをさらに含み得、４本以上のネジは長方形の構成で配置され得る。
【００２２】
[0022]  光源は、照明装置であり得る。
【００２３】
[0023]  開口は、実質的に丸みを帯びた部分と、装置の第１ブロックに対して実質的に垂直に方向付けられたアダプタと、を含み得る。アダプタは、２つのダブテール形の突起と、少なくとも１本の取付けネジと、を含み得る。
【００２４】
[0024]  開口は、実質的に正方形に成形された部分と、装置の第１ブロックに対して実質的に平行に方向付けられたアダプタと、を含み得る。アダプタは、２つのダブテール形の突起と、少なくとも１本の取付けネジと、を含み得る。
【００２５】
[0025]  前述の及び他の態様、特徴及び利点は、以下の記載及び図面から並びに特許請求の範囲から当業者に明らかになるであろう。
【００２６】
[0026]  実装形態を添付図面と組み合わせて以下に記載する。図面中、同様の符号は同様の要素を示す。
【図面の簡単な説明】
【００２７】
【図１】圧電作動式顕微鏡焦準装置の実装形態の斜視図である。
【図２】第１ブロックが取り外された圧電作動式顕微鏡焦準装置の実装形態の正面斜視図である。
【図３】第１ブロックが取り外された圧電作動式顕微鏡焦準装置の実装形態の背面斜視図である。
【図４】圧電作動式顕微鏡焦準装置の実装形態の背面図である。
【図５】圧電作動式顕微鏡焦準装置の実装形態の正面図である。
【図６】圧電作動式顕微鏡焦準装置の別の実装形態の上面図である。
【図７】圧電作動式顕微鏡焦準装置の実装形態の底面斜視図である。
【図８】圧電作動式顕微鏡焦準装置の実装形態の底面図である。
【図９】圧電作動式顕微鏡焦準装置の実装形態のためのアダプタプレートの実装形態の上面図である。
【図１０】圧電作動式顕微鏡焦準装置の実装形態に結合されたアダプタプレートの実装形態の側面図である。
【発明を実施するための形態】
【００２８】
[0037]  本開示、その態様及び実装形態は、本明細書に開示される特定の構成要素、組立手順及び方法要素に限定されない。意図される圧電作動式顕微鏡焦準装置と両立する当該技術分野で知られる多くの追加的な構成要素、組立手順及び／又は方法要素が、特定の実装形態での使用に関して本開示から明らかになるであろう。従って、例えば特定の実装形態が開示されているが、そのような実装形態及び実装構成要素は、意図される作動及び方法と両立する、そのような圧電作動式顕微鏡焦準装置並びに実装構成要素及び方法に関して当該技術分野で知られているようないずれかの形状、サイズ、形式、種類、型、変形、測定値、密度、材料、量、方法要素、ステップ及び／又はそれらに類するものを含み得る。
【００２９】
[0038]  図１を参照すると、圧電作動式顕微鏡焦準装置２の実装形態が示されている。装置は、第２ブロック６に結合されている第１ブロック４を含む。第１ブロック４は、第１側８と第２側１０とを有する。第１ブロック４の第１側８は、図４で見ることができるように、２つ以上のネジ３８を介して顕微鏡の本体と結合するように構成される。本明細書に開示される装置の実装形態で使用できる顕微鏡の例として、株式会社ニコン（日本、東京）により商品名ECLIPSE LV150N/LV150NA工業用顕微鏡の下で市販されているものが挙げられる。第１ブロック４の第２側１０は、第２ブロック６の側表面１２に結合される。第１ブロック４及び第２ブロック６は、ネジ、のり、接着剤、それらの組合せ又は当該技術分野で知られる他のいずれかの適切な結合具を介して結合され得る。この実装形態において、第１ブロック４はまた、上部１４及び底部１６を含む。上部１４は複数のネジ１５を介して底部１６に結合される。他の実装形態では、上部１４は、前述のいずれかの方法を含む他の結合方法によって底部に結合され得る。
【００３０】
[0039]  装置２の第２ブロック６は、第１表面１８、第２表面２０及び側表面１２を含む。第２ブロックの第１表面１８に開口２２がある。開口２２は、顕微鏡の光源に結合するように構成される。さまざまな実装形態において、光源は照明装置であり得る。照明装置は、使用者がそれを介して顕微鏡上の試料を視認する少なくとも１つの視認用光学部品を含み得る。いくつかの実装形態において、照明装置はまた、１つ又は複数の視認用レンズを含み得る。さまざまな実装形態において、図１に示されるように、開口２２は、実質的に正方形に成形された部分２４を有し得る。見ることができるように、実質的に正方形に成形された部分の隅部は丸みを付けられる。他の実装形態において、開口は、異なる形状を有し得、その非限定的な例は、図６に示される円形、長方形、楕円形又は他のいずれかの閉じられた形状などである。開口はまた、さまざまな実装形態において装置の第１ブロック４と実質的に平行に方向付けられ得るアダプタ２６を含み得る。他の実装形態において、しかしながら、アダプタ２６は、装置が結合される照明装置の特定の構造に依存して他の方向に方向付けられ得る。アダプタ２６は、各側のダブテール形突起と、取付けネジ開口２８と、を含み得る。当業者であればまた、それぞれが凹状開口を含むような突起を認識するであろう。
【００３１】
[0040]  装置２は、鋼、亜鉛を含む鋼合金、アルミニウム、陽極処理アルミニウム、剛性プラスチックを含むプラスチック、それらのいずれかの組合せ、及び当該技術分野で知られる他のいずれかの適切な材料から作製され得る。装置２の各ブロック４及び６は、釘、ネジ、のり、接着剤及び他の適切な材料を介して結合され得る個別材料シートから作製され得る。
【００３２】
[0041]  ここで、図２を参照すると、第１ブロックの筐体が取り外された装置３０の実装形態が示されている。この図は、第１ブロックの第１側と第２側との間に配置されたシリンダ３２を示す。シリンダ３２内に圧電材料が含まれている。圧電材料は結晶を含み得、その非限定的な例は、石英、セラミック、又は当該技術分野において圧電特性を有すると認知されている他の材料などである。圧電効果とは、機械的応力又は振動にさらされると交流電圧を生成する特定の材料の能力である。ここで、圧電材料は、図３に示されるようにバネ３４を使用して付勢力にさらされ得る。材料の圧電効果は、第２ブロックの厚さが圧電材料の移動を介して変えられることにより照明装置の視認用光学部品と顕微鏡の対物レンズとの間の距離が変化するとき、焦準装置が、顕微鏡の焦点に対し非常に精密な調整を実行することを可能にし得る。
【００３３】
[0042]  ここで、図４を参照すると、第１ブロックの第１側３６が示されている。第１ブロックは、２つ以上のネジ３８を介して顕微鏡の本体に取り付けられ得る。２つ以上のネジ３８は、垂直線、水平線又は対角線上に配置され得る。他の実装形態において、４つ以上のネジ３８が使用され得る。４つ以上のネジ３８は、長方形の構成において配置され得る。４つ以上のネジの使用は、顕微鏡本体へのより確実な取付けをもたらす一方、ネジ及び焦準装置の本体により少ない応力を及ぼし得る。
【００３４】
[0043]  図５を参照すると、焦準装置４０の実装形態の正面図が示されている。第２ブロック４８の第１表面４６の開口４４の突起４２の形状の実装形態が示されている。つまみネジ４５が、同じくアダプタ４３の反対側に示されている。つまみネジ４５は、装置の開口４４を顕微鏡の照明装置に固定する際に役立つように使用され得る。
【００３５】
[0044]  図６を参照すると、圧電作動式顕微鏡焦準装置５０の別の実装形態が示されている。この実装形態は、第２ブロック５４に結合された第１ブロック５２を含む。第２ブロック５４は、前述のように顕微鏡の照明装置に結合するように構成された開口５６を含む。開口は、実質的に丸い部分６０と、アダプタ６２と、を有する。アダプタ６２は、装置５０の第１ブロック５２に対して実質的に垂直に方向付けられ、これは、アダプタが装置５０の第１ブロック５２から約９０度離れて配置されることを意味する。いくつかの実装形態において、装置５０は、装置を顕微鏡の照明装置及び／又は対物部分に固定する際に役立つつまみネジ６４又は他の適切な結合具を含み得る。この特定の実装形態において、ネジ６４は、装置を顕微鏡の照明装置又は光源に固定するために第２ブロックの第１表面の近くに配置される。同じく、装置５０を顕微鏡の対物レンズに固定するために、ネジ６５が第２ブロック５４の第２表面の近くに配置される。
【００３６】
[0045]  図７を参照すると、装置実装形態６６の実装形態の底面図が示されている。装置６６は、第１ブロック６８と、相互に結合された第２ブロック７０と、を含む。顕微鏡の対物レンズに結合するように設計されたブラケット７２が第２ブロック７０の第２表面７４に結合される。ブラケット７２は、ネジ、接着剤又は当該技術分野で知られる他の適切な結合具を介して第２ブロック７０に結合され得る。さまざまな実装形態において、ブラケットは、２つ以上の正方形に成形された翼状部とピンとを含み得る。第１翼状部７６は、第１ブロック６８と反対側の第２表面７４の縁部に配置され得る。第１翼状部７６は、顕微鏡の対物レンズを固定するように構成されたつまみネジ７８を含み得る。ブラケット７２のピン８０は、第２翼状部８２に隣接して配置され、かつ２つの翼状部間の対物レンズの移動を停止させ、顕微鏡の対物レンズを適切な位置に配置し、対物レンズを照明装置の光学部品と整列するように構成される。他の実装形態において、ブラケットはフランジを含み得る。
【００３７】
[0046]  図８を参照すると、装置８４の実装形態の底面図が示されている。シャフト８６が第１表面９０と第２表面９２との間で装置８４の第２ブロック８８内に配置される。このシャフトの上面図が図６に示されている。内部形状をシャフト内で見ることができる。内部形状は、第２ブロックの上面と底面との間の距離が圧電運動によって変化するときに装置の内部構造に対して摺動することができる２つの独立的に移動するブロックから作製される。いくつかの実装形態において、その形状は平行四辺形であり得る。その形状は、第１ブロック９６内の圧電材料の圧電効果の影響下で対物レンズ及び照明装置が滑らかに移動し合うことを促す一助となり得る。
【００３８】
[0047]  図９を参照すると、アダプタプレート９８の上面図が示されている。アダプタプレートは、装置を前述のものと異なる顕微鏡の型に結合するために使用され得る。例えば、アダプタプレートは、ニコン工業用顕微鏡の旧型の照明装置を、この特定の照明装置に予め結合する必要のある特定の構造を焦準装置が有することを必要とすることなく、前述のような圧電作動式顕微鏡焦準装置に結合するために使用することができる。このようにして、アダプタプレートは、焦準装置自体の物理的変更を必要とすることなく複数の照明装置の種類に取り付けることができるように焦準装置を適合させる。図１０を参照すると、アダプタプレート１００は、第２ブロックが、それが照明装置と結合できるように前述のように装置の第１ブロック１０６に結合される、装置の第２ブロック１０４の第１表面１０２に結合され得る。アダプタプレート１００は、ネジ又は当該技術分野で知られる他の適切な方法を介して装置に結合され得る。アダプタプレートの開口の形状は、本明細書に開示されるいずれかであり得、また、同様に本明細書に開示されるアダプタの種類のいずれかを含み得る。
【００３９】
[0048]  その開示が参照により本明細書に組み込まれる付属書類Ａ（株式会社ニコン（日本、東京）による「Microscope Components for Reflected Light Applications」）を参照して、圧電作動式顕微鏡焦準装置の様々な実装形態のニコンCFI60顕微鏡への取付けを次に記載する。CFI60は、６０ｍｍの同焦点距離を有する色収差フリー無限遠光学設計（Chromatic Aberration-Free, Infinity optical design）の略記である。少なくとも図１、図４及び図５に示される装置の実装形態は、付属書類Ａに開示されるニコンIM-4（又はIM-3）顕微鏡支持アームを精密な圧電駆動式ノーズピース位置決め装置／焦準装置に変換するために使用され得る。付属書類Ａの４頁を特に見ると、ニコンIM-4焦準装置の４本のネジは取り除かれ得、圧電焦準装置は、図４に示されるような結合具３８を用いてIM-4（又はIM-3）に結合され得る。この構成は、CFI60製品ライン全体で及び下方正方形ダブテールノーズピースを用いる全ての製品で使用され得る。図５に少なくとも４３として示される正方形に成形されたアダプタは、この正方形ダブテールノーズピースに対応する形状を有し、また、CFI60 Eclipse下方正方形ダブテールノーズピースを底面で用いながら（CFI60 Eclipseは付属書類Ａの１８頁に示されている）、アーム上面の付属書類Ａの２９頁に示されるような旧型ニコン照明装置「ユニバーサルＥｐｉ照明装置EPI-U」とともに使用され得る。
【００４０】
[0049]  付属書類Ａをなおも参照して、図６に示される圧電作動式顕微鏡焦準装置とニコンCFI60顕微鏡との可能な構成の実装形態を記載する。装置のこの実装形態は、手動式ニコンIM-4（又はIM-3）顕微鏡支持アームを精密な圧電駆動式ノーズピース位置決め装置／焦準装置に変換するために使用され得る。付属書類Ａの３２頁を参照すると、図６の装置は、底面で旧型下方円形ダブテールノーズピースを用いながらCFI60上方照明装置システムとともに使用され得る。図６に示されるようなアダプタ６２は、円形ダブテールノーズピースに対応する形状を有し、また、下方円形ダブテールノーズピースを用いながら、アームの上面の旧型ニコン照明装置「ユニバーサルＥｐｉ−照明装置EPI-U」（付属書類Ａの２９頁）とともに使用され得る。
【００４１】
[0050]  このようにして、様々な焦準装置の実装形態は、顕微鏡の種類に依存して別々の変形形態を必要とすることなく、旧型ニコン照明装置及び新型ニコン照明装置の両方と同時に使用することができる。同じ焦準装置部分を用いて旧型及び新型顕微鏡に広く適合するこの能力は、装置の圧電機能によってもたらされる追加的な精密な性能の利益がもたらし得るものを超える焦準装置のより優れた採用を支援し得る。
【００４２】
[0051]  上の記載が特定の圧電作動式顕微鏡焦準装置の実装形態及び実装構成要素、下位構成要素、方法及び下位方法に言及する箇所において、その趣旨から逸脱することなく多数の修正形態がなされ得ること、及びこれらの実装形態、実装構成要素、下位構成要素、方法及び下位方法が他の圧電作動式顕微鏡焦準装置に適用され得ることは容易に分かるはずである。
【符号の説明】
【００４３】
２  圧電作動式顕微鏡焦準装置
４  第１ブロック
６  第２ブロック
８  第１側
１０  第２側
１２  側表面
１４  上部
１５  ネジ
１６  底部
１８  第１表面
２０  第２表面
２２  開口
２４  実質的に正方形に成形された部分
２６  アダプタ
２８  ネジ開口
３０  圧電作動式顕微鏡焦準装置
３２  シリンダ
３４  バネ
３６  第１側
３８  ネジ
４０  圧電作動式顕微鏡焦準装置
４２  突起
４３  アダプタ
４４  開口
４５  つまみネジ
４６  第１表面
４８  第２ブロック
５０  圧電作動式顕微鏡焦準装置
５２  第１ブロック
５４  第２ブロック
５６  開口
６０  実質的に丸い部分
６２  アダプタ
６４  つまみネジ
６５  ネジ
６６  圧電作動式顕微鏡焦準装置
６８  第１ブロック
７０  第２ブロック
７２  ブラケット
７４  第２表面
７６  第１翼状部
７８  つまみネジ
８０  ピン
８２  第２翼状部
８４  圧電作動式顕微鏡焦準装置
８６  シャフト
８８  第２ブロック
９０  第１表面
９２  第２表面
９６  第１ブロック
９８  アダプタプレート
１００  アダプタプレート
１０２  第１表面
１０４  第２ブロック
１０６  第１ブロック
【図１】
2018169614.tif 000003
【図２】
2018169614.tif 000004
【図３】
2018169614.tif 000005
【図４】
2018169614.tif 000006
【図５】
2018169614.tif 000007
【図６】
2018169614.tif 000008
【図７】
2018169614.tif 000009
【図８】
2018169614.tif 000010
【図９】
2018169614.tif 000011
【図１０】
2018169614.tif 000012
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
圧電作動式顕微鏡焦準装置であって、
第１側と第２側とを有する第１ブロックであって、前記第１側が、４本以上のネジを介して顕微鏡の本体に結合するように構成される、第１ブロックと、
第１表面、第２表面及び側表面を有する第２ブロックであって、前記側表面が前記第１ブロックの前記第２側に結合され、前記第２ブロックの前記第２表面が前記顕微鏡の対物レンズに結合するように構成される、第２ブロックと、
前記第２ブロックの前記第１表面に含まれる開口であって、前記顕微鏡の照明装置に結合するように構成され、実質的に丸みを帯びた部分と、前記装置の前記第１ブロックに対して実質的に垂直に方向付けられたアダプタ開口と、を含み、前記アダプタ開口が取付けネジ開口を含み、前記アダプタ開口が、ダブテール形の突起をその中に備えるアダプタを受け入れるように構成される、開口と、を備える圧電作動式顕微鏡焦準装置。
【請求項２】
前記第１ブロックの前記第１側と前記第２側との間に位置付けられたシリンダ内に圧電材料が含まれ、前記圧電材料がバネを用いて付勢力をかけられる、請求項１に記載の装置。
【請求項３】
前記圧電材料が結晶及びセラミックの一方である、請求項２に記載の装置。
【請求項４】
前記４本以上のネジが長方形の構成で配置される、請求項１に記載の装置。
【請求項５】
前記照明装置が１つ又は複数の視認用レンズをさらに含む、請求項１に記載の装置。
【請求項６】
前記顕微鏡の前記対物レンズに結合するように構成された前記第２ブロックの前記第２表面に結合されたブラケットをさらに備え、前記ブラケットが、２つ以上の正方形に成形された翼状部とピンとを含み、第１翼状部が、前記第１ブロックと反対側の前記第２表面の縁部に位置付けられ、前記第１翼状部が、前記顕微鏡の前記対物レンズを固定するように構成されたつまみネジを含み、及び、前記ピンが第２翼状部に隣接して位置付けられ、前記対物レンズが、前記２つ以上の正方形に成形された翼状部に挿入されるときに前記対物レンズを停止させかつ位置付けるように構成される、請求項１に記載の装置。
【請求項７】
圧電作動式顕微鏡焦準装置であって、
第１側と第２側とを有する第１ブロックであって、前記第１側が２本以上のネジを介して顕微鏡の本体に結合するように構成される、第１ブロックと、
第１表面、第２表面及び側表面を有する第２ブロックであって、前記側表面が前記第１ブロックの前記第２側に結合され、前記第２ブロックの前記第２表面が前記顕微鏡の対物レンズと結合するように構成される、第２ブロックと、
前記第２ブロックの前記第１表面に含まれる開口であって、前記顕微鏡の照明装置に結合するように構成され、実質的に正方形に成形された部分と、前記装置の前記第１ブロックに対して実質的に平行に方向付けられたアダプタとを含み、前記アダプタが２つのダブテール形の突起と少なくとも１つの取付けネジと含む、開口と
を含む圧電作動式顕微鏡焦準装置。
【請求項８】
圧電材料が、前記第１ブロックの前記第１側と前記第２側との間に位置付けられたシリンダ内に含まれ、前記圧電材料が、バネを介して付勢力をかけられる、請求項７に記載の装置。
【請求項９】
前記圧電材料が結晶及びセラミックの一方である、請求項８に記載の装置。
【請求項１０】
前記第１ブロックの前記第１側に含まれる４本以上のネジをさらに含み、前記４本以上のネジが長方形の構成で配置される、請求項７に記載の装置。
【請求項１１】
前記照明装置が少なくとも１つの視認用光学部品をさらに含む、請求項７に記載の装置。
【請求項１２】
前記顕微鏡の前記対物レンズに結合するように構成された前記第２ブロックの前記第２表面に結合されたブラケットをさらに含み、前記ブラケットが、２つ以上の正方形に成形された翼状部と、ピンと、を含み、第１翼状部が、前記第１ブロックと反対側の前記第２表面の縁部に位置付けられ、前記第１翼状部が、前記顕微鏡の前記対物レンズを固定するように構成されたつまみネジを含み、及び、前記ピンが第２翼状部に隣接して位置付けられ、前記対物レンズが、前記２つ以上の正方形に成形された翼状部に挿入されるときに前記対物レンズを停止させかつ位置付けるように構成される、請求項７に記載の装置。
【請求項１３】
圧電作動式顕微鏡焦準装置であって、
第１側と第２側とを有する第１ブロックであって、前記第１側が、２本以上のネジを介して顕微鏡の本体に結合するように構成される、第１ブロックと、
第１表面、第２表面及び側表面を有する第２ブロックであって、前記側表面が前記第１ブロックの前記第２側に結合される、第２ブロックと、
前記顕微鏡の光源に結合するように構成された前記第２ブロックの前記第１表面の開口と、
前記顕微鏡の対物レンズに結合するように構成された前記第２ブロックの前記第２表面に結合されたブラケットであって、２つ以上のフランジと、ピンと、を含み、第１フランジが、前記第１ブロックと反対側の前記第２表面の縁部に位置付けられ、前記第１フランジが、前記顕微鏡の前記対物レンズを固定するように構成されたつまみネジを含み、前記ピンが第２フランジに隣接して位置付けられ、前記第２フランジが、前記対物レンズが前記２つ以上のフランジに挿入される間、前記対物レンズを停止させかつ位置付けるように構成される、ブラケットと、備える圧電作動式顕微鏡焦準装置。
【請求項１４】
前記第１ブロックの前記第１側と前記第２側との間に位置付けられたシリンダ内に圧電材料が含まれ、前記圧電材料がバネを用いて付勢力をかけられる、請求項１３に記載の装置。
【請求項１５】
前記圧電材料が結晶及びセラミックの一方である、請求項１４に記載の装置。
【請求項１６】
前記第１ブロックの前記第１側に含まれる４本以上のネジをさらに含み、前記４本以上のネジが長方形の構成で配置される、請求項１３に記載の装置。
【請求項１７】
前記光源が照明装置である、請求項１３に記載の装置。
【請求項１８】
前記開口が、実質的に丸みを帯びた部分と、前記装置の前記第１ブロックに対して実質的に垂直に方向付けられたアダプタと、を含み、前記アダプタが、２つのダブテール形の突起と、少なくとも１本の取付けネジと、を含む、請求項１３に記載の装置。
【請求項１９】
前記開口が、実質的に正方形に成形された部分と、前記装置の前記第１ブロックに対して実質的に平行に方向付けられたアダプタと、を含み、前記アダプタが、２つのダブテール形の突起と、少なくとも１本の取付けネジと、を含む、請求項１３に記載の装置。
【外国語明細書】
2018169614000001.pdf